【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージと、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、「後記の電波等の発信の前に行われる、ユーザーによる操作もしくは設定」に基づいて、選択する伝達情報選択手段と、
「前記伝達情報選択手段により選択された『伝達情報』を示す情報を乗せた若しくは一体化した、電波もしくは赤外線」を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する電波等発信手段と、
他の電子生物を生存させている他の電子生物生存装置から近距離無線により発信された前記電波等を、近距離無線により直接に(インターネットなどの公衆通信網を介することなく)受信する電波等受信手段と、
前記電波等受信手段により受信された電波等に基づいて、前記他の電子生物からの『伝達情報』を、画面又は音声により出力する出力手段と、
を備えたことを特徴とする、ユーザーに携帯され若しくはユーザーの身体に装着されており、その内部に電子生物を生存させている携帯型電子生物生存装置。
【請求項２】
「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージと、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、「後記の電波等の発信の前に行われる、ユーザーによる操作もしくは設定」に基づいて、選択する伝達情報選択手段と、
前記伝達情報選択手段により選択された『伝達情報』を示す情報を乗せた若しくは一体化した電波もしくは赤外線を、近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する電波等発信手段と、
他の電子生物を生存させている他の電子生物生存装置から近距離無線により発信された前記電波もしくは赤外線を、近距離無線により直接に(インターネットなどの公衆通信網を介することなく)受信する電波等受信手段と、
前記電波等受信手段により受信された電波等に基づいて、前記他の電子生物からの『伝達情報』を、画面又は音声により出力する出力手段と、
を備えたことを特徴とする、ユーザーに携帯され若しくはユーザーの身体に装着されており、その内部に電子生物を生存させている携帯型電子生物生存装置。
【請求項３】
「（ａ）或る電子生物が伝達主体となっており他の電子生物が伝達の相手方となっているメッセージ（この項においてメッセージとは、『或る電子生物から他の電子生物に伝達する、あたかも或る電子生物の思想、意思、もしくは感情を含んでいるかのようにユーザーから見える情報』をいう）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、もしくは趣味などの『電子生物の思想、意思、もしくは感情そのものは含んでいない事実情報』であって自ら（電子生物）が他の電子生物に伝達する事実情報（但し、電子生物の名前および画像を除く）と、を含む、伝達情報」の複数の候補であって、
「自装置の内部の電子生物と他の電子生物生存装置の内部の他の電子生物との間の擬似的な『コミュニケーション（交流もしくは交流のための情報伝達）』のために使用され、自装置の内部の電子生物が伝達の主体となっており他の電子生物生存装置の内部の他の電子生物が伝達の相手方となっている伝達情報」の複数の候補を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、「後記の電波等の発信の前に行われる、ユーザーによる操作もしくは設定」に基づいて、選択する伝達情報選択手段と、
「前記伝達情報選択手段により選択された『伝達情報』を示す情報を乗せた若しくは一体化した、電波もしくは赤外線」を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する電波等発信手段と、
近傍のエリアにある他の電子生物生存装置から無線で発信された「電波もしくは赤外線」を、近距離無線により直接に(インターネットなどの公衆通信網を介することなく)受信する電波等受信手段と、
前記電波等受信手段により受信された「電波もしくは赤外線」に基づいて、「前記他の電子生物からの『伝達情報』」を、画面又は音声により出力する出力手段と、
を含むことを特徴とする、ユーザーに携帯され若しくはユーザーの身体に装着されており、その内部に電子生物を生存させている携帯型電子生物生存装置。
【請求項４】
「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージと、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、自動的に又は「後記の電波等の発信の前に行われる、ユーザーによる操作もしくは設定」に基づいて、選択する伝達情報選択手段と、
「前記伝達情報選択手段により選択された『伝達情報』を示す情報を乗せた若しくは一体化した、電波もしくは赤外線」を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する電波等発信手段と、
他の電子生物を生存させている他の電子生物生存装置から近距離無線により発信された前記電波等を、近距離無線により直接に(インターネットなどの公衆通信網を介することなく)受信する電波等受信手段と、
前記電波等受信手段により受信された電波等に基づいて、前記他の電子生物からの『伝達情報』を、画面又は音声により出力する出力手段と、
を備えたことを特徴とする、ユーザーに携帯され若しくはユーザーの身体に装着されており、その内部に電子生物を生存させている携帯型電子生物生存装置。
【請求項５】
「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージと、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、自動的に又は「後記の電波等の発信の前に行われる、ユーザーによる操作もしくは設定」に基づいて、選択する伝達情報選択手段と、
前記伝達情報選択手段により選択された『伝達情報』を示す情報を乗せた若しくは一体化した電波もしくは赤外線を、近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する電波等発信手段と、
他の電子生物を生存させている他の電子生物生存装置から近距離無線により発信された前記電波もしくは赤外線を、近距離無線により直接に(インターネットなどの公衆通信網を介することなく)受信する電波等受信手段と、
前記電波等受信手段により受信された電波等に基づいて、前記他の電子生物からの『伝達情報』を、画面又は音声により出力する出力手段と、
を備えたことを特徴とする、ユーザーに携帯され若しくはユーザーの身体に装着されており、その内部に電子生物を生存させている携帯型電子生物生存装置。
【請求項６】
「（ａ）或る電子生物が伝達主体となっており他の電子生物が伝達の相手方となっているメッセージ（この項においてメッセージとは、『或る電子生物から他の電子生物に伝達する、あたかも或る電子生物の思想、意思、もしくは感情を含んでいるかのようにユーザーから見える情報』をいう）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、もしくは趣味などの『電子生物の思想、意思、もしくは感情そのものは含んでいない事実情報』であって自ら（電子生物）が他の電子生物に伝達する事実情報（但し、電子生物の名前および画像を除く）と、を含む、伝達情報」の複数の候補であって、
「自装置の内部の電子生物と他の電子生物生存装置の内部の他の電子生物との間の擬似的な『コミュニケーション（交流もしくは交流のための情報伝達）』のために使用され、自装置の内部の電子生物が伝達の主体となっており他の電子生物生存装置の内部の他の電子生物が伝達の相手方となっている伝達情報」の複数の候補を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、自動的に又は「後記の電波等の発信の前に行われる、ユーザーによる操作もしくは設定」に基づいて、選択する伝達情報選択手段と、
「前記伝達情報選択手段により選択された『伝達情報』を示す情報を乗せた若しくは一体化した、電波もしくは赤外線」を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する電波等発信手段と、
近傍のエリアにある他の電子生物生存装置から無線で発信された「電波もしくは赤外線」を、近距離無線により直接に(インターネットなどの公衆通信網を介することなく)受信する電波等受信手段と、
前記電波等受信手段により受信された「電波もしくは赤外線」に基づいて、「前記他の電子生物からの『伝達情報』」を、画面又は音声により出力する出力手段と、
を含むことを特徴とする、ユーザーに携帯され若しくはユーザーの身体に装着されており、その内部に電子生物を生存させている携帯型電子生物生存装置。
【請求項７】
近傍のエリアに居る他の電子生物生存装置に受信されるように、「電子生物による所定の挨拶信号」を、無線で送信するための挨拶信号送信手段と、
近傍のエリアにある他の電子生物生存装置から無線で送信された「電子生物による所定の挨拶信号」を受信するための挨拶信号受信手段と、
を含むことを特徴とする、ユーザーに携帯され若しくはユーザーの身体に装着されており、その内部に電子生物を生存させている携帯型電子生物生存装置。
【手続補正２】
【補正対象書類名】明細書
【補正対象項目名】００１０
【補正方法】変更
【補正の内容】
【００１０】
本発明はこのような従来技術の課題に着目してなされたものであって、「各ユーザーが携帯もしくは身体装着している機器に内蔵されている各電子生物であって、仮想ではない現実の世界において実際に（現実に）互いに近くに居る各電子生物」に、ユーザーから見ると自然な形で手軽に、「仮想ではない現実の世界において実際に（現実に）互いに近くに居る各ユーザー」間のコミュニケーションの開始もくしは促進の切っ掛け・仲立ちとなり得る役割を持たせるようにすること、を目的とする。
【手続補正３】
【補正対象書類名】明細書
【補正対象項目名】００１３
【補正方法】変更
【補正の内容】
【００１３】
本発明においては、「予め『電子生物が伝達の主体となっている伝達情報』の複数の候補を記録しておき、それらの中の一つ若しくは複数を選択し、その選択された伝達情報と電子生物の画像もしくは名前とを一緒に若しくは別々に乗せた若しくは一体化した電波もしくは赤外線を、自動的に、近距離無線により、近傍の他の電子生物に直接に（インターネットなどの公衆通信網を介することなく）届くように発信し、それを他方が直接に（インターネットなどの公衆通信網を介することなく）受信する」という構成を採用している。
したがって、本発明によれば、「『仮想ではない現実の世界において実際に（現実に）互いに近くに居る電子生物同士』が、あたかも、互いに自発的に（ユーザーの特別な操作を介することなく）情報を伝達してコミュニケーションを行なっているかのように見える状況」（少なくともユーザー側からはそのように見える状況）が自動的に（ユーザーから見ると自然な形で）且つ手軽に作出されるようになるので、これにより、「『仮想ではない現実の世界において実際に（現実に）互いに近くに居るユーザー同士』が、前記電子生物を『切っ掛け・仲立ち』として、互いのコミュニケーションを開始もくしは促進すること」が可能となる。
【手続補正４】
【補正対象書類名】明細書
【補正対象項目名】００１４
【補正方法】変更
【補正の内容】
【００１４】
また、特に本発明において、「予め『電子生物が伝達の主体となっている伝達情報』の複数の候補を記録しておき、それらの中の一つ若しくは複数を前記電波等の発信前に行われるユーザーの操作もしくは設定に基づいて選択し、その選択された伝達情報と電子生物の画像もしくは名前とを一緒に若しくは別々に乗せた若しくは一体化した電波もしくは赤外線を、自動的に、近距離無線により、近傍の他の電子生物に直接に届くように発信し、それを他方が直接に受信する」という構成を採用したときは、すなわち、『仮想ではない現実の世界において実際に（現実に）互いに近くに居る電子生物同士』が互いに自発的に（ユーザーの特別な操作を介することなく）情報を伝達する場合において、前記各電子生物が互いに伝達する伝達情報が各ユーザーの操作もしくは設定により予め選択されるようにしたときは、前記電子生物同士のコミュニケーションの内容をユーザーがある程度コントロールできるようになるので、前記各電子生物間の擬似的なコミュニケーションが『切っ掛け・仲立ち』となって『仮想ではない現実の世界において実際に（現実に）互いに近くに居るユーザー同士』が、より自然な形で、互いのコミュニケーションを開始もくしは促進し易くなる。